(57)【要約】【課題】  機器の場所貸しを適格に管理することができる場所貸し管理装置、場所貸し管理システム及び場所貸し管理プログラムを提供する。【解決手段】  場所貸し管理装置２０は、場所貸しを管理する。場所貸し管理装置２０は、取得部２４と作成部２３とを備える。場所貸しは、空調機６０ａ等の設置場所を貸して利用させることである。取得部２４は、登録情報を空調機６０ａ等の所有者から取得する。登録情報は、場所情報を含む。場所情報は、空調機６０ａ等の設置場所に関する情報である。作成部２３は、登録情報に基づいて、場所利用情報を作成する。場所利用情報は、場所利用方法に関する情報である。場所利用方法は、空調機６０ａ等の設置場所を貸して利用させる方法であり、空調機６０ａ等の設置場所に適した方法である。【選択図】      図１
2005293400.tif 000002
【特許請求の範囲】
【請求項１】
機器（６１ａ，６１ｂ，・・・，６２ａ，６２ｂ，・・・）の設置場所を貸して利用させることである場所貸しを管理するための場所貸し管理装置（２０，１２０，２２０）であって、
前記機器（６１ａ，・・・）の前記設置場所に関する情報である場所情報を含む登録情報を前記機器（６１ａ，・・・）の所有者から取得する取得部（２４）と、
前記登録情報に基づいて、前記機器（６１ａ，・・・）の前記設置場所を貸して利用させる方法であり前記機器（６１ａ，・・・）の前記設置場所に適した方法である場所利用方法に関する情報である場所利用情報を、作成する作成部（２３）と、
を備えた場所貸し管理装置（２０，１２０，２２０）。
【請求項２】
前記登録情報を記憶する記憶部（２５）をさらに備える、
請求項１に記載の場所貸し管理装置（２０，１２０，２２０）。
【請求項３】
前記登録情報は、前記機器（６１ａ，・・・）の前記所有者の個人情報をさらに含む、
請求項１又は２に記載の場所貸し管理装置（２０，１２０，２２０）。
【請求項４】
前記場所利用方法は、前記機器（６１ａ，・・・）の前記設置場所からデータを収集する方法であり、
前記場所利用情報は、前記機器（６１ａ，・・・）の前記設置場所からデータを収集する方法に関する情報である、
請求項１から３のいずれかに記載の場所貸し管理装置（２０，１２０，２２０）。
【請求項５】
前記場所利用方法は、前記機器（６１ａ，・・・）の前記設置場所へデータを提供する方法であり、
前記場所利用情報は、前記機器（６１ａ，・・・）の前記設置場所へデータを提供する方法に関する情報である、
請求項１から４のいずれかに記載の場所貸し管理装置（２０，１２０，２２０）。
【請求項６】
前記登録情報は、前記機器（６１ａ，・・・）の前記所有者の個人情報をさらに含み、
前記作成部（２３）は、前記登録情報に基づいて、前記機器（６１ａ，・・・）の前記設置場所へ提供するデータの種類に関する情報である種類情報をさらに作成する、
請求項５に記載の場所貸し管理装置（２０，１２０，２２０）。
【請求項７】
前記機器（６１ａ，・・・）は、空調機である、
請求項１から６のいずれかに記載の場所貸し管理装置（２０，１２０，２２０）。
【請求項８】
請求項１から７のいずれかに記載の場所貸し管理装置（２０，１２０，２２０）と、
前記場所貸し管理装置（２０，１２０，２２０）に第１ネットワークで接続されており、１以上の前記機器（６１ａ，・・・）の前記設置場所を借りて利用するための装置である１以上の場所借り装置（１０ａ，１０ｂ，・・・，１１０ａ，１１０ｂ，・・・）と、
前記場所貸し管理装置（２０，１２０，２２０）に第２ネットワークで接続されている場所借り利用装置（３０）と、
を備え、
前記場所借り利用装置（３０）は、前記場所利用情報に基づいて、前記第２ネットワークと前記場所貸し管理装置（２０，１２０，２２０）と前記第１ネットワークとを経由して、１以上の前記場所借り装置（１０ａ，１０ｂ，・・・，１１０ａ，１１０ｂ，・・・）を利用する、
場所貸し管理システム。
【請求項９】
前記場所貸し管理装置（２０，１２０，２２０）は、前記第１ネットワークを介して１以上の前記場所借り装置（１０ａ，１０ｂ，・・・，１１０ａ，１１０ｂ，・・・）の利用状況を管理する、
請求項８に記載の場所貸し管理システム。
【請求項１０】
前記場所借り利用装置（３０）は、前記場所利用情報に基づいて、前記第２ネットワークと前記場所貸し管理装置（２０，１２０，２２０）と前記第１ネットワークとを経由して、１以上の前記場所借り装置（１０ａ，１０ｂ，・・・，１１０ａ，１１０ｂ，・・・）を介して情報を収集する、あるいは１以上の前記場所借り装置（１０ａ，１０ｂ，・・・，１１０ａ，１１０ｂ，・・・）へ情報を提供する、
請求項８又は９に記載の場所貸し管理システム。
【請求項１１】
機器（６１ａ，・・・）の設置場所を貸して利用させることである場所貸しをコンピュータに管理させるための場所貸し管理プログラムであって、
前記機器（６１ａ，・・・）の前期設置場所に関する情報である場所情報を含む登録情報が前記機器（６１ａ，・・・）の所有者から取得される取得ステップと、
前記登録情報に基づいて、前記機器（６１ａ，・・・）の前記設置場所を貸して利用させる方法であり前記機器（６１ａ，・・・）の前記設置場所に適した方法である場所利用方法に関する情報である場所利用情報が、作成される作成ステップと、
を備えた場所貸し管理プログラム。
【発明の詳細な説明】
【技術分野】
【０００１】
本発明は、場所貸し管理装置、場所貸し管理システム及び場所貸し管理プログラムに関する。
【背景技術】
【０００２】
従来から機器の設置場所へネットワークを経由して情報を提供することが行われている。例えば、電力量計に電力量計サーバを設置し、所定のサービスが、事業者から仲介サーバと電力量計サーバとを介して、電力量計が設置された各家庭に配布される技術が提案されている（例えば、特許文献１参照。）。また、ユーザの好みに関する情報を作成し、その情報に基づいてユーザに提供する情報を選択することにより、ユーザの好みに応じた情報を店舗等の機器へ提供する技術が提案されている（例えば、特許文献２参照。）。
【特許文献１】特開２００３−１０２０７８（第１−７頁、第１−８図）
【特許文献２】特開２００３−２７１６３５（第１−１０頁、第１−５図）
【発明の開示】
【発明が解決しようとする課題】
【０００３】
しかし、機器の設置場所を貸して利用させる場合、単に所定のサービスを提供するだけでは、機器の設置場所に適したサービスが提供されないおそれがある。また、機器の所有者を含むユーザの好みに関する情報を作成するだけでは、機器の設置場所に適した情報が提供されないおそれがある。さらに、従来の技術では、機器の設置場所から情報を適格に収集できないおそれがある。
【０００４】
そこで、本発明の課題は、機器の場所貸しを適格に管理することができる場所貸し管理装置、場所貸し管理システム及び場所貸し管理プログラムを提供することにある。
【課題を解決するための手段】
【０００５】
請求項１に係る場所貸し管理装置は、場所貸しを管理するための場所貸し管理装置であって、取得部と作成部とを備える。場所貸しは、機器の設置場所を貸して利用させることである。取得部は、登録情報を機器の所有者から取得する。登録情報は、場所情報を含む。場所情報は、機器の設置場所に関する情報である。作成部は、登録情報に基づいて、場所利用情報を作成する。場所利用情報は、場所利用方法に関する情報である。場所利用方法は、機器の設置場所を貸して利用させる方法であり、機器の設置場所に適した方法である。
【０００６】
この場所貸し管理装置では、取得部が、登録情報を機器の所有者から取得する。作成部が、登録情報を受け取ることができる。作成部は、登録情報に基づいて、場所利用情報を作成する。
したがって、機器の設置場所を貸して利用させる方法であり機器の設置場所に適した方法である場所利用方法に関する情報である場所利用情報を作成するので、機器の場所貸しを適格に管理することができる。
【０００７】
なお、「登録情報を取得する」とは、登録情報をネットワーク経由で取得することであってもよいし、登録情報が場所貸し管理装置に直接入力されることにより登録情報を取得することであってもよい。
請求項２に係る場所貸し管理装置は、請求項１に記載の場所貸し管理装置であって、記憶部をさらに備える。記憶部は、登録情報を記憶する。
【０００８】
この場所貸し管理装置では、取得部が、登録情報を機器の所有者から取得する。記憶部が、登録情報を受け取ることができる。記憶部が、登録情報を記憶する。作成部が、登録情報を受け取ることができる。作成部は、登録情報に基づいて、場所利用情報を作成する。
したがって、機器の設置場所を貸して利用させる方法であり機器の設置場所に適した方法である場所利用方法に関する情報である場所利用情報を作成するので、機器の場所貸しを適格に管理することができる。
【０００９】
請求項３に係る場所貸し管理装置は、請求項１又は２に記載の場所貸し管理装置であって、登録情報は、機器の所有者の個人情報をさらに含む。
この場所貸し管理装置では、取得部が、登録情報を機器の所有者から取得する。登録情報が、場所情報を含む。登録情報が、機器の所有者の個人情報をさらに含む。
したがって、場所情報だけなく個人情報にも基づいて場所利用情報を作成するので、場所利用情報を詳細に作成することができる。
【００１０】
なお、個人情報は、例えば、住所、氏名、年齢、職業、性別、趣味などである。
請求項４に係る場所貸し管理装置は、請求項１から３のいずれかに記載の場所貸し管理装置であって、場所利用方法は、機器の設置場所からデータを収集する方法である。場所利用情報は、機器の設置場所からデータを収集する方法に関する情報である。
この場所貸し管理装置では、作成部が、登録情報に基づいて、場所利用情報を作成する。場所利用情報が、場所利用方法に関する情報である。場所利用方法が、機器の設置場所を貸して利用させる方法であり、機器の設置場所に適した方法である。場所利用方法が、機器の設置場所からデータを収集する方法である。場所利用情報が、機器の設置場所からデータを収集する方法に関する情報である。
【００１１】
したがって、登録情報に基づいて、機器の設置場所からデータを収集する方法に関する情報を作成するので、機器の設置場所に適したデータを収集することができる。
請求項５に係る場所貸し管理装置は、請求項１から４のいずれかに記載の場所貸し管理装置であって、場所利用方法は、機器の設置場所へデータを提供する方法である。場所利用情報は、機器の設置場所へデータを提供する方法に関する情報である。
【００１２】
この場所貸し管理装置では、作成部が、登録情報に基づいて、場所利用情報を作成する。場所利用情報が、場所利用方法に関する情報である。場所利用方法が、機器の設置場所を貸して利用させる方法であり、機器の設置場所に適した方法である。場所利用方法が、機器の設置場所へデータを提供する方法である。場所利用情報が、機器の設置場所へデータを提供する方法に関する情報である。
【００１３】
したがって、登録情報に基づいて、機器の設置場所へデータを提供する方法に関する情報を作成するので、機器の設置場所に適したデータを提供することができる。
請求項６に係る場所貸し管理装置は、請求項５に記載の場所貸し管理装置であって、登録情報は、機器の所有者の個人情報をさらに含む。作成部は、登録情報に基づいて、種類情報をさらに作成する。種類情報は、機器の設置場所へ提供するデータの種類に関する情報である。
【００１４】
この場所貸し管理装置では、登録情報が、機器の所有者の個人情報をさらに含む。作成部が、登録情報に基づいて、場所利用情報を作成する。場所利用情報が、場所利用方法に関する情報である。場所利用方法が、機器の設置場所を貸して利用させる方法であり、機器の設置場所に適した方法である。場所利用方法が、機器の設置場所へデータを提供する方法である。場所利用情報が、機器の設置場所へデータを提供する方法に関する情報である。作成部は、登録情報に基づいて、種類情報をさらに作成する。
【００１５】
したがって、個人情報を含む登録情報に基づいて、機器の設置場所へ提供するデータの種類に関する情報を作成するので、機器の所有者の好みに応じてデータを提供することができる。
請求項７に係る場所貸し管理装置は、請求項１から６のいずれかに記載の場所貸し管理装置であって、機器は、空調機である。
【００１６】
この場所貸し管理装置では、取得部が、登録情報を空調機の所有者から取得する。作成部が、登録情報を受け取ることができる。作成部が、登録情報に基づいて、場所利用情報を作成する。場所利用情報が、場所利用方法に関する情報である。場所利用方法が、空調機の設置場所を貸して利用させる方法であり、空調機の設置場所に適した方法である。
したがって、空調機の設置場所を貸して利用させる方法であり空調機の設置場所に適した方法である場所利用方法に関する情報を作成するので、空調機の場所貸しを適格に管理することができる。
【００１７】
請求項８に係る場所貸し管理システムは、請求項１から７のいずれかに記載の場所貸し管理装置と１以上の場所借り装置と場所借り利用装置とを備える。１以上の場所借り装置は、場所貸し管理装置に第１ネットワークで接続されている。１以上の場所借り装置は、１以上の機器の設置場所を借りて利用するための装置である。場所借り利用装置は、場所貸し管理装置に第２ネットワークで接続されている。場所借り利用装置は、場所利用情報に基づいて、第２ネットワークと場所貸し管理装置と第１ネットワークとを経由して、１以上の場所借り装置を利用する。
【００１８】
この場所貸し管理システムでは、１以上の場所借り装置が、場所貸し管理装置に第１ネットワークで接続されている。場所借り利用装置が、場所貸し管理装置に第２ネットワークで接続されている。場所貸し管理装置が、場所借り装置を利用したい旨の要求を、場所借り利用装置から第２ネットワーク経由で受け付けることができる。場所貸し管理装置が、場所利用情報に基づいて、その要求に当てはまる場所借り装置を選択することができる。場所借り利用装置が、場所利用情報に基づいて、第２ネットワークと場所貸し管理装置と第１ネットワークとを経由して、１以上の場所借り装置を利用する。
【００１９】
したがって、場所借り利用装置による１以上の場所借り装置の利用を場所貸し管理装置が場所利用情報に基づいて仲介することができるので、１以上の機器の場所貸しを適格に管理することができる。
なお、第１ネットワークと第２ネットワークとは、同一のプロトコルを採用していてもよいし、異なるプロトコルを採用していてもよい。
【００２０】
請求項９に係る場所貸し管理システムは、請求項８に記載の場所貸し管理システムであって、場所貸し管理装置は、第１ネットワークを介して１以上の場所借り装置の利用状況を管理する。
この場所貸し管理システムでは、場所貸し管理装置が、場所借り装置を利用したい旨の要求を、場所借り利用装置から第２ネットワーク経由で受け付けることができる。場所貸し管理装置が、場所利用情報に基づいて、その要求に当てはまる場所借り装置を選択することができる。場所借り利用装置が、場所利用情報に基づいて、第２ネットワークと場所貸し管理装置と第１ネットワークとを経由して、１以上の場所借り装置を利用する。場所貸し管理装置が、第１ネットワークを介して１以上の場所借り装置の利用状況を管理する。
【００２１】
したがって、１以上の場所借り装置の利用状況を管理するので、１以上の機器の所有者や場所借り利用装置の使用者に対して利用料金を適格に課金することができる。
請求項１０に係る場所貸し管理システムは、請求項８又は９に記載の場所貸し管理システムであって、場所借り利用装置は、場所利用情報に基づいて、第２ネットワークと場所貸し管理装置と第１ネットワークとを経由して、１以上の場所借り装置を介して情報を収集する、あるいは１以上の場所借り装置へ情報を提供する。
【００２２】
この場所貸し管理システムでは、場所貸し管理装置が、場所借り装置を介して情報を収集したい旨の要求を、場所借り利用装置から第２ネットワーク経由で受け付けることができる。場所貸し管理装置が、場所利用情報に基づいて、その要求に当てはまる場所借り装置を選択することができる。場所借り利用装置が、場所利用情報に基づいて、第２ネットワークと場所貸し管理装置と第１ネットワークとを経由して、１以上の場所借り装置を介して情報を収集する。あるいは、場所貸し管理装置が、場所借り装置へ情報を提供したい旨の要求を、場所借り利用装置から第２ネットワーク経由で受け付けることができる。場所貸し管理装置が、場所利用情報に基づいて、その要求に当てはまる場所借り装置を選択することができる。場所借り利用装置が、場所利用情報に基づいて、第２ネットワークと場所貸し管理装置と第１ネットワークとを経由して、１以上の場所借り装置へ情報を提供する。
【００２３】
したがって、場所借り利用装置による１以上の場所借り装置を介した情報の収集を場所貸し管理装置が場所利用情報に基づいて仲介することができるので、１以上の機器の場所貸しを適格に管理することができる。あるいは、場所借り利用装置による１以上の場所借り装置への情報の提供を場所貸し管理装置が場所利用情報に基づいて仲介することができるので、１以上の機器の場所貸しを適格に管理することができる。
【００２４】
請求項１１に係る場所貸し管理プログラムは、場所貸しをコンピュータに管理させるための場所貸し管理プログラムであって、取得ステップと作成ステップとを備える。場所貸しは、機器の設置場所を貸して利用させることである。取得ステップでは、登録情報が機器の所有者から取得される。登録情報は、場所情報を含む。場所情報は、機器の設置場所に関する情報である。作成ステップでは、登録情報に基づいて、場所利用情報が作成される。場所利用情報は、場所利用方法に関する情報である。場所利用方法は、機器の設置場所を貸して利用させる方法であり、機器の設置場所に適した方法である。
【００２５】
この場所貸し管理プログラムでは、取得ステップにおいて、登録情報が機器の所有者から取得される。作成ステップにおいて、登録情報が受け取られ得る。作成ステップにおいて、登録情報に基づいて、場所利用情報が作成される。
したがって、機器の設置場所を貸して利用させる方法であり機器の設置場所に適した方法である場所利用方法に関する情報である場所利用情報を作成するので、機器の場所貸しを適格に管理することができる。
【００２６】
なお、「登録情報が取得される」とは、登録情報がネットワーク経由で取得されることであってもよいし、登録情報が直接入力されることにより登録情報が取得されることであってもよい。
【発明の効果】
【００２７】
請求項１に係る場所貸し管理装置では、機器の設置場所を貸して利用させる方法であり機器の設置場所に適した方法である場所利用方法に関する情報である場所利用情報を作成するので、機器の場所貸しを適格に管理することができる。
請求項２に係る場所貸し管理装置では、機器の設置場所を貸して利用させる方法であり機器の設置場所に適した方法である場所利用方法に関する情報である場所利用情報を作成するので、機器の場所貸しを適格に管理することができる。
【００２８】
請求項３に係る場所貸し管理装置では、場所情報だけなく個人情報にも基づいて場所利用情報を作成するので、場所利用情報を詳細に作成することができる。
請求項４に係る場所貸し管理装置では、登録情報に基づいて、機器の設置場所からデータを収集する方法に関する情報を作成するので、機器の設置場所に適したデータを収集することができる。
【００２９】
請求項５に係る場所貸し管理装置では、登録情報に基づいて、機器の設置場所へデータを提供する方法に関する情報を作成するので、機器の設置場所に適したデータを提供することができる。
請求項６に係る場所貸し管理装置では、個人情報を含む登録情報に基づいて、機器の設置場所へ提供するデータの種類に関する情報を作成するので、機器の所有者の好みに応じてデータを提供することができる。
【００３０】
請求項７に係る場所貸し管理装置では、空調機の設置場所を貸して利用させる方法であり空調機の設置場所に適した方法である場所利用方法に関する情報を作成するので、空調機の場所貸しを適格に管理することができる。
請求項８に係る場所貸し管理システムでは、場所借り利用装置による１以上の場所借り装置の利用を場所貸し管理装置が場所利用情報に基づいて仲介することができるので、１以上の機器の場所貸しを適格に管理することができる。
【００３１】
請求項９に係る場所貸し管理システムでは、１以上の場所借り装置の利用状況を管理するので、１以上の機器の所有者や場所借り利用装置の使用者に対して利用料金を適格に課金することができる。
請求項１０に係る場所貸し管理システムでは、場所借り利用装置による１以上の場所借り装置を介した情報の収集を場所貸し管理装置が場所利用情報に基づいて仲介することができるので、１以上の機器の場所貸しを適格に管理することができる。あるいは、場所借り利用装置による１以上の場所借り装置への情報の提供を場所貸し管理装置が場所利用情報に基づいて仲介することができるので、１以上の機器の場所貸しを適格に管理することができる。
【００３２】
請求項１１に係る場所貸し管理プログラムでは、機器の設置場所を貸して利用させる方法であり機器の設置場所に適した方法である場所利用方法に関する情報である場所利用情報を作成するので、機器の場所貸しを適格に管理することができる。
【発明を実施するための最良の形態】
【００３３】
［第１実施形態］
本発明の第１実施形態に係る場所貸し管理システム１の概念図を図１に示す。また、本発明の第１実施形態に係る場所貸し管理システム１の構成要素の構成図を図２，図３に示す。ここに示す場所貸し管理システム１は、主として場所貸しを管理するためのシステムである。ここで、場所貸しとは、空調機群６０（６０ａ，６０ｂ，・・・）の設置場所を貸して利用させることである。
【００３４】
＜場所貸し管理システム１の全体構成＞
図１に示すように、場所貸し管理システム１は、主として場所貸し管理装置２０，場所借り利用装置３０，場所借り装置群１０（１０ａ，１０ｂ，・・・），端末装置群５０（５０ａ，５０ｂ，・・・）及びネットワーク４０を備える。場所貸し管理装置２０，場所借り利用装置３０，場所借り装置群１０（１０ａ，１０ｂ，・・・）及び端末装置群５０（５０ａ，５０ｂ，・・・）は、互いにネットワーク４０で接続されている。
【００３５】
＜端末装置群５０（５０ａ，５０ｂ，・・・）の構成＞
図１に示す端末装置５０ａは、例えば、パソコンや携帯電話などである。端末装置５０ａには、空調機６０ａの所有者Ｐａにより登録情報が入力され、登録情報がネットワーク４０経由で場所貸し管理装置２０へ送信される。ここで、登録情報は、空調機６０ａの設置場所を貸して利用させるための登録情報である。なお、空調機６０ａは、主として室内機６１ａ，室外機６２ａ及び冷媒配管６３ａを備える。
【００３６】
端末装置５０ａは、場所借り装置１０ａ，１０ｂ，・・・を利用したい旨の要求をネットワーク４０経由で場所貸し管理装置２０から受信する。端末装置５０ａには、空調機６０ａの所有者Ｐａにより、その要求を承認するか否かが入力される。承認するか否かの情報は、ネットワーク４０経由で場所貸し管理装置２０へ送信される。
他の端末装置５０ｂ，・・・も、端末装置５０ａと同様である。
【００３７】
＜場所貸し管理装置２０の構成＞
図１に示す場所貸し管理装置２０は、図２に示すように、主として送受信部２１，制御部２２，作成部２３，取得部２４，記憶部２５及び集計部２６を備える。
取得部２４が、登録情報を空調機６０ａ，６０ｂ，・・・の所有者Ｐａ，Ｐｂ，・・・から、ネットワーク４０と送受信部２１とを経由して取得する。制御部２２が、登録情報を、取得部２４から受け取り、記憶部２５へ渡す。記憶部２５が、登録情報を登録情報２５ａとして記憶する。制御部２２が、登録情報２５ａを、記憶部２５から取得し、作成部２３へ渡す。作成部２３は、登録情報２５ａに基づいて、場所利用情報を作成する。ここで、場所利用情報は、場所利用方法に関する情報である。場所利用方法は、空調機６０ａ，６０ｂ，・・・の設置場所を貸して利用させる方法であり、空調機６０ａ，６０ｂ，・・・の設置場所に適した方法である。制御部２２は、場所利用情報を、作成部２３から受け取り、記憶部２５に場所利用情報２５ｂとして記憶させる。
【００３８】
送受信部２１が、場所借り装置１０ａ，１０ｂ，・・・を利用したい旨の要求を、場所借り利用装置３０からネットワーク４０経由で受信する。場所借り装置１０ａ，１０ｂ，・・・を利用したい旨の要求は、例えば、不在時の防犯を監視したい旨の要求などである。制御部２２が、その要求を送受信部２１から受け取り、その要求に当てはまる場所借り装置１０ａ，１０ｂ，・・・を選択する。例えば、制御部２２が、場所借り装置１０ａを選択する。制御部２２は、その要求をネットワーク４０経由で、選択された場所借り装置１０ａ，１０ｂ，・・・の所有者Ｐａ，Ｐｂ，・・・の端末装置５０ａ，５０ｂ，・・・へ送信する。
【００３９】
送受信部２１が、承認するか否かの情報をネットワーク４０経由で端末装置５０ａ，５０ｂ，・・・から受信する。
送受信部２１が、データ又は制御信号を場所借り利用装置３０からネットワーク４０経由で受信する。制御部２２が、データ又は制御信号を送受信部２１から受け取り、送信先を決定する。例えば、上記の場合で送受信部２１が承認する旨の情報を受信した場合、送信先を場所借り装置１０ａに決定する。送受信部２１は、送信先の情報と、データ又は制御信号と、を制御部２２から受け取り、ネットワーク４０経由で承認された場所借り装置１０ａ，１０ｂ，・・・へ送信する。また、集計部２６が、データ又は制御信号を送受信部２１に渡した旨の情報を制御部２２から受け取る。集計部２６が、タイマ（図示せず）を参照しながら、データ又は制御信号を場所借り装置１０ａ，１０ｂ，・・・が利用している時間を集計して、その時間を記憶部２５に利用状況情報２５ｄとして記憶させる。
【００４０】
送受信部２１が、データを図１に示す場所借り装置１０ａ，１０ｂ，・・・からネットワーク４０経由で受信した場合、そのデータを場所借り利用装置３０へネットワーク４０経由で送信する。
＜場所借り利用装置３０の構成＞
図１に示す場所借り利用装置３０は、図３に示すように、主として送受信部３１，制御部３２，入力部３３及びデータベース３４を備える。
【００４１】
入力部３３に、場所借り装置１０ａ，１０ｂ，・・・を利用したい旨の要求が入力される。制御部３２が、その要求を入力部３３から受け取り、送受信部３１へ渡す。送受信部３１が、その要求をネットワーク４０経由で送信する。
制御部３２が、データベース３４を参照して、提供するデータを選択する。あるいは、制御部３２が、データベース３４を参照して、データを収集するための制御信号を生成する。制御部３２が、データ又は制御信号を送受信部３１へ渡す。送受信部３１は、データ又は制御信号をネットワーク４０経由で場所貸し管理装置２０へ送信する。
【００４２】
場所借り装置１０ａ，１０ｂ，・・・がデータを収集した場合、送受信部３１が、データをネットワーク４０経由で場所貸し管理装置２０から受信する。制御部３２が、データを、送受信部３１から受け取り、データベース３４に記憶させる。
＜場所借り装置群１０（１０ａ，１０ｂ，・・・）の構成＞
図１に示す場所借り装置１０ａは、図１に示すように、空調機６０ａの室内機６１ａの設置場所を借りて利用する。例えば、場所借り装置１０ａは、室内機６１の前面パネル上に取り付けられる。
【００４３】
場所借り装置１０ａは、データ又は制御信号をネットワーク４０経由で場所貸し管理装置２０から受信する。場所借り装置１０ａは、表示画面（図示せず）にデータを表示する。あるいは、場所借り装置１０ａは、制御信号に従って、データを収集する。データを収集した場合、場所借り装置１０ａは、データをネットワーク４０経由で場所貸し管理装置２０へ送信する。
【００４４】
他の場所借り装置１０ｂ，・・・も、場所借り装置１０ａと同様である。
＜記憶部２５の構成＞
図２に示す記憶部２５は、主として登録情報２５ａ，場所利用情報２５ｂ及び利用状況情報２５ｄを備える。
図２に示す登録情報２５ａは、図５に示すように、主として氏名２５１ａ，住所２５２ａ，室内機の場所２５３ａ，室外機の場所２５４ａ及び室外機の付近２５５ａを備える。氏名２５１ａは、空調機６０ａ，６０ｂ，・・・の所有者Ｐａ，Ｐｂ，・・・の名前である。住所２５２ａは、空調機６０ａ，６０ｂ，・・・の所有者Ｐａ，Ｐｂ，・・・の住所である。室内機の場所２５３ａは、部屋２ａ，２ｂ，・・・における室内機６１ａ，６１ｂ，・・・の設置場所である。室外機の場所２５４ａは、部屋２ａ，２ｂ，・・・に対する室外機６２ａ，６２ｂ，・・・の設置場所である。室外機付近２５５ａは、室外機６２ａ，６２ｂ，・・・の設置場所付近の様子を示す。
【００４５】
図２に示す場所利用情報２５ｂは、図６に示すように、主として氏名２５１ｂ，室内機の利用２５２ｂ及び室外機の利用２５３ｂを備える。氏名２５１ｂは、空調機６０ａ，６０ｂ，・・・の所有者Ｐａ，Ｐｂ，・・・の名前である。室内機の利用２５２ｂは、室内機６１ａ，６１ｂ，・・・の設置場所を貸して利用させる方法を示す。室外機の利用２５３ｂは、室外機６２ａ，６２ｂ，・・・の設置場所を貸して利用させる方法を示す。これらの情報は、登録情報２５ａに基づいて、作成部２３（図２参照）が作成する。例えば、図５に示す氏名２５１ａがＡさんである場合、室内機６１ａ，６１ｂ，・・・の場所２５３ａが１０Ｆ居間の東上壁であるので、室内機６１ａ，６１ｂ，・・・の設置場所が情報を表示するのに適した場所であると作成部２３（図２参照）により判断される。そこで、作成部２３（図２参照）は、図６に示すように、氏名２５１ｂが「Ａさん」の場合、室内機の利用２５２ｂを「ニュースの提供」とする。一方、図５に示す氏名２５１ａが「Ｓ事務所」である場合、室内機６１ａ，６１ｂ，・・・の場所２５３ａが「天井中央」であるので、室内機６１ａ，６１ｂ，・・・の設置場所が部屋２ａ，２ｂ，・・・の防犯監視をするのに適した場所であると作成部２３（図２参照）により判断される。そこで、作成部２３（図２参照）は、図６に示すように、氏名２５１ｂが「Ｓ事務所」の場合、室内機の利用２５２ｂを「不在時の防犯監視」とする。一方、室外機６２ａ，６２ｂ，・・・（図１参照）の設置場所を貸して利用させることは行われていないので、室外機の利用２５３ｂは、空欄となっている。
【００４６】
図２に示す利用状況情報２５ｄは、図８に示すように、主として氏名２５１ｄ及び利用時間２５２ｄを備える。氏名２５１ｄは、空調機６０ａ，６０ｂ，・・・の所有者Ｐａ，Ｐｂ，・・・の名前である。利用時間２５２ｄは、空調機６０ａ，６０ｂ，・・・の設置場所を貸して利用させた時間を示す。例えば、図８に示すように、氏名２５１ｄが「Ａさん」である場合、利用時間２５２ｄが「８時間」であるので、８時間分の利用料金がＡさんに課金されることになる。氏名２５１ｄが「Ｓ事務所」である場合、利用時間２５２ｄが「１２時間」であるので、１２時間分の利用料金がＳ事務所に課金されることになる。
【００４７】
＜場所貸し管理システム１が場所貸しを管理する処理の流れ＞
図１に示す場所貸し管理システム１が場所貸しを管理する処理の流れを、図４に示すフローチャートを用いて説明する。
図４に示すステップＳ１では、登録情報が取得される。すなわち、図１に示す端末装置５０ａ，５０ｂ，・・・に、空調機６０ａ，６０ｂ，・・・の所有者Ｐａ，Ｐｂ，・・・により登録情報が入力される。登録情報は、ネットワーク４０経由で場所貸し管理装置２０へ送信される。図２に示す場所貸し管理装置２０の取得部２４により、登録情報が空調機６０ａ，６０ｂ，・・・（図１参照）の所有者Ｐａ，Ｐｂ，・・・（図１参照）から、ネットワーク４０と送受信部２１とを経由して取得される。制御部２２により、登録情報が、取得部２４から受け取られ、記憶部２５へ渡される。記憶部２５により、登録情報が登録情報２５ａとして記憶される。
【００４８】
図４に示すステップＳ２では、場所利用情報が作成される。すなわち、図２に示す制御部２２により、登録情報２５ａが、記憶部２５から取得され、作成部２３へ渡される。作成部２３により、登録情報２５ａに基づいて、場所利用情報が作成される。ここで、場所利用情報は、場所利用方法２５２ｂ、２５３ｂ（図６参照）に関する情報である。場所利用方法２５２ｂ、２５３ｂ（図６参照）は、空調機６０の設置場所を貸して利用させる方法であり、空調機６０の設置場所に適した方法である。制御部２２により、場所利用情報が、作成部２３から受け取られ、記憶部２５に場所利用情報２５ｂとして記憶される。
【００４９】
図４に示すステップＳ３では、場所貸しが受け付けられる。すなわち、図３に示す場所借り利用装置３０の入力部３３に、場所借り装置１０ａ，１０ｂ，・・・（図１参照）を利用したい旨の要求が入力される。制御部３２により、その要求が入力部３３から受け取られ、送受信部３１へ渡される。送受信部３１により、その要求がネットワーク４０経由で送信される。図２に示す場所貸し管理装置２０の送受信部２１により、場所借り装置１０ａ，１０ｂ，・・・（図１参照）を利用したい旨の要求が、場所借り利用装置３０（図１参照）からネットワーク４０（図１参照）経由で受信される。場所借り装置１０ａ，１０ｂ，・・・（図１参照）を利用したい旨の要求は、例えば、不在時の防犯を監視したい旨の要求などである。制御部２２により、その要求が送受信部２１から受け取られ、その要求に当てはまる場所借り装置１０ａ，１０ｂ，・・・（図１参照）が選択される。例えば、制御部２２により、場所借り装置１０ａ（図１参照）が選択される。制御部２２により、その要求が図１に示すネットワーク４０経由で、場所借り装置１０ａ，１０ｂ，・・・の所有者Ｐａ，Ｐｂ，・・・の端末装置５０ａ，５０ｂ，・・・へ送信される。端末装置５０ａ，５０ｂ，・・・により、場所借り装置１０ａ，１０ｂ，・・・を利用したい旨の要求がネットワーク４０経由で場所貸し管理装置２０から受信される。端末装置５０ａ，５０ｂ，・・・には、空調機６０ａ，６０ｂ，・・・の所有者Ｐａ，Ｐｂ，・・・により、その要求を承認するか否かが入力される。承認するか否かの情報は、ネットワーク４０経由で場所貸し管理装置２０へ送信される。図２に示す場所貸し管理装置２０の送受信部２１により、承認するか否かの情報がネットワーク４０経由で端末装置５０ａ，５０ｂ，・・・（図１参照）から受信される。
【００５０】
図４に示すステップＳ４では、場所借り装置１０ａ，１０ｂ，・・・が利用される。すなわち、図３に示す制御部３２により、データベース３４が参照され、提供するデータが選択される。あるいは、制御部３２により、データベース３４が参照され、データを収集するための制御信号が生成される。送受信部３１により、データ又は制御信号がネットワーク４０経由で図２に示す場所貸し管理装置２０へ送信される。図２に示す場所貸し管理装置２０の送受信部２１により、データ又は制御信号が場所借り利用装置３０（図１参照）からネットワーク４０経由で受信される。制御部２２により、データ又は制御信号が送受信部２１から受け取られ、送信先が決定される。例えば、上記の場合で承認する旨の情報が送受信部２１で受信された場合、送信先が場所借り装置１０ａに決定される。送受信部２１により、送信先の情報と、データ又は制御信号と、が受け取られ、承認された場所借り装置１０ａ，１０ｂ，・・・（図１参照）へネットワーク４０経由で送信される。また、集計部２６により、データ又は制御信号が送受信部に渡された旨の情報が制御部２２から受け取られる。集計部２６により、タイマ（図示せず）が参照されながら、データ又は制御信号を場所借り装置１０ａ，１０ｂ，・・・（図１参照）が利用している時間が集計されて、その時間が記憶部２５に利用状況情報２５ｄとして記憶される。
【００５１】
図１に示す場所借り装置１０ａ，１０ｂ，・・・により、データ又は制御信号がネットワーク４０経由で場所貸し管理装置２０から受信される。場所借り装置１０ａ，１０ｂ，・・・により、表示画面（図示せず）にデータを表示される。あるいは、場所借り装置１０ａ，１０ｂ，・・・を介して、制御信号に従って、データが収集される。データが収集された場合、場所借り装置１０ａ，１０ｂ，・・・により、データがネットワーク４０経由で場所貸し管理装置２０へ送信される。図２に示す場所貸し管理装置２０の送受信部２１により、データが場所借り装置１０ａ，１０ｂ，・・・（図１参照）からネットワーク４０経由で受信された場合、そのデータが場所借り利用装置３０（図１参照）へネットワーク４０経由で送信される。そして、図３に示す場所借り利用装置３０の送受信部３１により、データがネットワーク４０経由で場所貸し管理装置２０（図１参照）から受信される。
【００５２】
図４に示すステップＳ５では、課金が行われる。すなわち、図２に示す集計部２６により記憶部２５の利用状況情報２５ｄが参照され、空調機６０ａ，６０ｂ，・・・の所有者Ｐａ，Ｐｂ，・・・や場所借り利用装置３０の使用者に対して、場所借り装置１０ａ，１０ｂ，の利用時間に応じて、課金する利用料金が計算され、課金される。
＜場所貸し管理システム１に関する特徴＞
（１）
ここでは、図２に示す取得部２４が、登録情報を空調機６０ａ，６０ｂ，・・・の所有者Ｐａ，Ｐｂ，・・・から、ネットワーク４０と送受信部２１とを経由して取得する。記憶部２５が、登録情報を、制御部２２を経由して取得部２４から受け取る。記憶部２５が、登録情報を登録情報２５ａとして記憶する。登録情報２５ａが、図５に示すように、場所に関する情報２５３ａ〜２５５ａを含む。作成部２３が、登録情報２５ａを、制御部２２経由で記憶部２５から受け取る。作成部２３は、登録情報２５ａに基づいて、場所利用情報を、作成して、記憶部２５に場所利用情報２５ｂとして記憶させる。
【００５３】
したがって、空調機６０ａ，６０ｂ，・・・の設置場所を貸して利用させる方法であり空調機６０ａ，６０ｂ，・・・の設置場所に適した方法である場所利用方法２５２ｂ，２５３ｂ（図６参照）に関する情報である場所利用情報２５ｂを作成するので、空調機６０ａ，６０ｂ，・・・の場所貸しが適格に管理される。
（２）
ここでは、図２に示す取得部２４が、登録情報を空調機６０ａ，６０ｂ，・・・の所有者Ｐａ，Ｐｂ，・・・から取得する。登録情報２５ａが、図５に示すように、場所に関する情報２５３ａ〜２５５ａを含む。登録情報２５ａが、空調機６０ａ，６０ｂ，・・・の所有者Ｐａ，Ｐｂ，・・・の個人情報２５１ａ，２５２ａをさらに含む。
【００５４】
したがって、場所に関する情報２５３ａ〜２５５ａだけなく個人情報２５１ａ，２５２ａにも基づいて場所利用情報２５ｂを作成するので、場所利用情報２５ｂが詳細に作成される。
（３）
ここでは、図２に示す作成部２３が、登録情報２５ａに基づいて、場所利用情報２５ｂを作成する。場所利用情報２５ｂが、場所利用方法２５２ｂ，２５３ｂ（図６参照）に関する情報である。場所利用方法２５２ｂ，２５３ｂ（図６参照）が、空調機６０ａ，６０ｂ，・・・の設置場所を貸して利用させる方法であり、空調機６０ａ，６０ｂ，・・・の設置場所に適した方法である。場所利用方法２５２ｂ，２５３ｂ（図６参照）が、空調機６０ａ，６０ｂ，・・・の設置場所からデータを収集する方法である。場所利用情報２５ｂが、空調機６０ａ，６０ｂ，・・・の設置場所からデータを収集する方法に関する情報である。
【００５５】
したがって、登録情報２５ａに基づいて、空調機６０ａ，６０ｂ，・・・の設置場所からデータを収集する方法に関する情報を作成するので、空調機６０ａ，６０ｂ，・・・の設置場所に適したデータが収集される。
（４）
ここでは、図２に示す作成部２３が、登録情報２５ａに基づいて、場所利用情報２５ｂを作成する。場所利用情報２５ｂが、場所利用方法２５２ｂ，２５３ｂ（図６参照）に関する情報である。場所利用方法２５２ｂ，２５３ｂ（図６参照）が、空調機６０ａ，６０ｂ，・・・の設置場所を貸して利用させる方法であり、空調機６０ａ，６０ｂ，・・・の設置場所に適した方法である。場所利用方法２５２ｂ，２５３ｂ（図６参照）が、空調機６０ａ，６０ｂ，・・・の設置場所へデータを提供する方法である。場所利用情報２５ｂが、空調機６０ａ，６０ｂ，・・・の設置場所へデータを提供する方法に関する情報である。
【００５６】
したがって、登録情報２５ａに基づいて、空調機６０ａ，６０ｂ，・・・の設置場所へデータを提供する方法に関する情報を作成するので、空調機６０ａ，６０ｂ，・・・の設置場所に適したデータが提供される。
（５）
ここでは、図１に示す場所借り装置１０ａ，１０ｂ，・・・が、場所貸し管理装置２０にネットワーク４０で接続されている。場所借り利用装置３０が、場所貸し管理装置２０にネットワーク４０で接続されている。場所貸し管理装置２０が、場所借り装置１０ａ，１０ｂ，・・・を利用したい旨の要求を、場所借り利用装置３０からネットワーク４０経由で受け付ける。場所貸し管理装置２０が、場所利用情報２５ｂに基づいて、その要求に当てはまる場所借り装置１０ａ，１０ｂ，・・・を選択する。場所借り利用装置３０が、場所利用情報２５ｂに基づいて、ネットワーク４０と場所貸し管理装置２０とネットワーク４０とを経由して、場所借り装置１０ａ，１０ｂ，・・・を利用する。
【００５７】
したがって、場所借り利用装置３０による場所借り装置１０ａ，１０ｂ，・・・の利用を場所貸し管理装置２０が場所利用情報２５ｂに基づいて仲介するので、空調機６０ａ，６０ｂ，・・・の場所貸しが適格に管理される。
（６）
ここでは、図１に示す場所貸し管理装置２０が、場所借り装置１０ａ，１０ｂ，・・・を利用したい旨の要求を、場所借り利用装置３０からネットワーク４０経由で受け付ける。場所貸し管理装置２０が、場所利用情報２５ｂに基づいて、その要求に当てはまる場所借り装置１０ａ，１０ｂ，・・・を選択する。場所借り利用装置３０が、場所利用情報２５ｂに基づいて、ネットワーク４０と場所貸し管理装置２０とネットワーク４０とを経由して、場所借り装置１０ａ，１０ｂ，・・・を利用する。場所貸し管理装置２０が、ネットワーク４０を介して場所借り装置１０ａ，１０ｂ，・・・の利用状況を管理する。
【００５８】
したがって、場所借り装置１０ａ，１０ｂ，・・・の利用状況を管理するので、空調機６０ａ，６０ｂ，・・・の所有者Ｐａ，Ｐｂ，・・・や場所借り利用装置３０の使用者に対して利用料金が適格に課金される。
（７）
ここでは、図１に示す場所貸し管理装置２０が、場所借り装置１０ａ，１０ｂ，・・・を介して情報を収集したい旨の要求を、場所借り利用装置３０からネットワーク４０経由で受け付ける。場所貸し管理装置２０が、場所利用情報２５ｂに基づいて、その要求に当てはまる場所借り装置１０ａ，１０ｂ，・・・を選択する。場所借り利用装置３０が、場所利用情報２５ｂに基づいて、ネットワーク４０と場所貸し管理装置２０とネットワーク４０とを経由して、場所借り装置１０ａ，１０ｂ，・・・を介して情報を収集する。あるいは、場所貸し管理装置２０が、場所借り装置１０ａ，１０ｂ，・・・へ情報を提供したい旨の要求を、場所借り利用装置３０からネットワーク４０経由で受け付ける。場所貸し管理装置２０が、場所利用情報２５ｂに基づいて、その要求に当てはまる場所借り装置１０ａ，１０ｂ，・・・を選択する。場所借り利用装置３０が、場所利用情報２５ｂに基づいて、ネットワーク４０と場所貸し管理装置２０とネットワーク４０とを経由して、場所借り装置１０ａ，１０ｂ，・・・へ情報を提供する。
【００５９】
したがって、場所借り利用装置３０による場所借り装置１０ａ，１０ｂ，・・・を介した情報の収集を場所貸し管理装置２０が場所利用情報２５ｂに基づいて仲介するので、空調機６０ａ，６０ｂ，・・・の場所貸しが適格に管理される。あるいは、場所借り利用装置３０による場所借り装置１０ａ，１０ｂ，・・・への情報の提供を場所貸し管理装置２０が場所利用情報２５ｂに基づいて仲介するので、空調機６０ａ，６０ｂ，・・・の場所貸しが適格に管理される。
【００６０】
＜第１実施形態の変形例＞
（Ａ）図２に示す取得部２４は、登録情報を、空調機６０ａ，６０ｂ，・・・の所有者Ｐａ，Ｐｂ，・・・からネットワーク４０と送受信部２１とを経由して取得しなくてもよい。すなわち、空調機６０ａ，６０ｂ，・・・の所有者Ｐａ，Ｐｂ，・・・から郵送・電話・ＦＡＸ・電子メールなどにより、場所貸し管理装置２０の管理者が登録情報を受け取ってもよい。この場合、場所貸し管理装置２０の管理者により、登録情報が取得部２４に直接入力されることになる。この場合、端末装置群５０（５０ａ，５０ｂ，・・・）は、備えられていなくもてよい。
【００６１】
（Ｂ）図２に示す作成部２３は、登録情報２５ａに基づいて、種類情報をさらに作成してもよい。この場合、作成部２３は、種類情報を種類情報２５ｃとして記憶部２５に記憶させる。種類情報２５ｃは、図７に示すように、主として氏名２５１ｃおよびデータの種類２５２ｃを備える。氏名２５１ｃは、空調機６０ａ，６０ｂ，・・・の所有者Ｐａ，Ｐｂ，・・・の名前である。データの種類２５２ｃは、空調機６０ａ，６０ｂ，・・・の設置場所を貸して提供させるデータの種類である。たとえば、図５に示す氏名２５１ａが「Ａさん」である場合、住所が「大阪市・・・」なので、図７に示すデータの種類２５２ｃが「大阪市の地域情報」とされる。一方、図５に示す氏名２５１ａが「Ｓ事務所」である場合、図６に示す室内機の利用２５２ｂが「不在時の防犯監視」であり特にデータを提供しないので、図７に示すデータの種類２５２ｃは、空欄とされる。したがって、個人情報２５１ａ，２５２ａを含む登録情報２５ａに基づいて、空調機６０ａ，６０ｂ，・・・の設置場所へ提供するデータの種類に関する情報２５２ｃを作成するので、空調機６０ａ，６０ｂ，・・・の所有者Ｐａ，Ｐｂ，・・・の好みに応じてデータを提供することができる。
【００６２】
（Ｃ）図２に示す登録情報２５ａにおける個人情報は、図５に示す氏名２５１ａ及び住所２５２ａでなくてもよい。すなわち、住所２５２ａ、氏名２５１ａ、年齢、職業、性別、趣味のうち少なくもと１つであってもよい。この場合、上記変形例（Ｂ）において、個人情報（住所２５２ａ、氏名２５１ａ、年齢、職業、性別、趣味のうち少なくもと１つ）を含む登録情報２５ａに基づいて、空調機６０ａ，６０ｂ，・・・の設置場所へ提供するデータの種類に関する情報２５２ｃを詳細に作成することができるので、空調機６０ａ，６０ｂ，・・・の所有者Ｐａ，Ｐｂ，・・・の好みに適したデータを提供することができる。
【００６３】
（Ｄ）場所利用方法２５２ｂ，２５３ｂ（図６参照）は、図１に示す空調機６０ａ，６０ｂ，・・・の設置場所からデータを収集する方法及び空調機６０ａ，６０ｂ，・・・の設置場所へデータを提供する方法のいずれか一方のみであってもよい。場所貸しの対象となる機器は、空調機６０でなくもてよい。すなわち、床暖房システム・全熱交換器・空気清浄機・加湿器・脱臭機・遠赤外線暖房機・給湯器・除湿器・冷蔵庫・冷凍庫・湯沸かし器・テレビ・ビデオ・洗濯機・電子レンジ・インターホン・ＣＤプレーヤ・アンプ・外灯・照明機器などの家電機器、火災報知器・ガス漏れ検知器・扉センサー・窓センサーなどのホームセキュリティ機器、ウォーターチリングユニット・スクリュー式冷凍機・ターボ冷凍機・吸収式冷凍機・極低温冷凍機・エアハンドリングユニット・ファンコイルユニット・クーリングタワー・海上コンテナ用冷凍装置・船舶用エアコン又は冷凍機・小口輸送用保冷コンテナ・デッキユニット・船舶用ウォーターチリングユニット・艦船用冷凍装置などの冷凍機、パーソナルコンピュータ、キュービクル・蓄電池設備・発電機設備などの受変電設備、動力盤・エレベータなどの動力設備、電灯盤・ブラインドなどの照明等設備、防災シャッターなどの防災設備、空調機６０などのうち少なくとも１つであってもよい。
【００６４】
（Ｅ）図４に示すステップＳ５において、利用料金は、場所借り装置１０ａ，１０ｂ，・・・の利用時間に応じて計算されなくてもよい。すなわち、一定期間における定額料金であってもよい。あるいは、場所借り装置１０ａ，１０ｂ，・・・の利用時間が所定時間になるまでは定額料金で、越えた分についてのみ、場所借り装置１０ａ，１０ｂ，・・・の利用時間に応じて計算されてもよい。
【００６５】
［第２実施形態］
本発明の第２実施形態に係る場所貸し管理システム１００を図９に示す。また、場所貸し管理システム１００の構成要素の構成図を図１０に示す。図９，図１０において、図１に示す場所貸し管理システム１の構成要素と同様の構成要素は同じ番号で示してある。ここに示す場所貸し管理システム１００は、主として場所貸しを管理するためのシステムである。ここで、場所貸しとは、空調機群６０（６０ａ，６０ｂ，・・・）の設置場所を貸して利用させることである。
【００６６】
図９に示す場所貸し管理システム１００は、基本的な構造は第１実施形態と同様であり各構成要素は図２，図３と同様であるが、場所借り装置１１０ａ，１１０ｂ，・・・が室外機６２ａ，６２ｂ，・・・の場所を借りて利用している点で第１実施形態と異なる。すなわち、場所借り装置１１０ａ，１１０ｂ，・・・が室外機６２ａ，６２ｂ，・・・の場所を借りて利用しているので、図１０に示す場所貸し管理装置１２０の記憶部１２５の場所利用情報１２５ｂの内容が、図１１に示すようになる。室内機の利用２５２ｂが空欄となっており、室外機の利用２５３ｂに場所利用方法が記憶されている。これらの点で第１実施形態と異なる。
【００６７】
図９に示す空調機６０ａ，６０ｂ，・・・の設置場所を貸して利用させる方法であり空調機６０ａ，６０ｂ，・・・の設置場所に適した方法である場所利用方法２５２ｂ，２５３ｂ（図１１参照）に関する情報である場所利用情報２５ｂを作成する点は第１実施形態と同様である。したがって、このような場所貸し管理システム１００によっても、空調機６０ａ，６０ｂ，・・・の場所貸しが適格に管理される。
【００６８】
＜第２実施形態の変形例＞
（Ａ）場所借り装置１１０ａ，１１０ｂ，・・・は、室外機６２ａ，６２ｂ，・・・の設置場所だけでなく、室内機６１ａ，６１ｂ，・・・の設置場所を借りて利用してもよい。場所借り装置１１０ａ，１１０ｂ，・・・は、室外機６２ａ，６２ｂ，・・・の設置場所と室内機６１ａ，６１ｂ，・・・の設置場所との少なくもと一方を借りて利用したものと、室外機６２ａ，６２ｂ，・・・の設置場所と室内機６１ａ，６１ｂ，・・・の設置場所との両方を借りて利用したものと、が混在していてもよい。
【００６９】
（Ｂ）図１１に示すように、室外機の利用２５３ｂは、室外機６２ａ，６２ｂ，・・・の設置場所を貸して利用させる方法であり、室外機６２ａ，６２ｂ，・・・の設置場所に適した方法である。例えば、図５に示す氏名２５１ａが「Ａさん」である場合、室外機６２ａ，６２ｂ，・・・の場所２５４ａが「１０Ｆベランダ」であり、室外機付近２５５ａが「高速道路沿い」である。このため、室外機６２ａ，６２ｂ，・・・の設置場所が高速道路に関する情報を収集するのに適した場所であると作成部２３（図２参照）により判断される。そこで、作成部２３（図２参照）は、図１１に示すように、氏名２５１ｂが「Ａさん」の場合、室外機の利用２５３ｂを「高速道路の監視」とする。一方、図５に示す氏名２５１ａが「Ｓ事務所」である場合、室外機６２ａ，６２ｂ，・・・の場所２５４ａが「１３Ｆ屋上」であり、室外機付近２５５ａが「１３Ｆ以上の建物が少ない」である。このため、室外機６２ａ，６２ｂ，・・・の設置場所が気象データを収集するのに適した場所であると作成部２３（図２参照）により判断される。そこで、作成部２３（図２参照）は、図１１に示すように、氏名２５１ｂが「Ｓ事務所」の場合、室外機の利用２５３ｂを「気象データの収集」とする。一方、室内機６１ａ，６１ｂ，・・・（図１参照）の設置場所を貸して利用させることは行われていないので、室内機の利用２５２ｂは、空欄となっている。
【００７０】
［第３実施形態］
本発明の第３実施形態に係る場所貸し管理システム２００を図１２に示す。また、場所貸し管理システム２００の構成要素の構成図を図１３に示す。図１２，図１３において、図１に示す場所貸し管理システム１の構成要素と同様の構成要素は同じ番号で示してある。ここに示す場所貸し管理システム２００は、主として場所貸しを管理するためのシステムである。ここで、場所貸しとは、空調機群６０（６０ａ，６０ｂ，・・・）の設置場所を貸して利用させることである。
【００７１】
図１２に示す場所貸し管理システム２００は、基本的な構造は第１実施形態と同様であり各構成要素は図２，図３と同様であるが、ネットワーク４０とネットワーク２７０とのプロトコルが異なる点で第１実施形態と異なる。すなわち、場所借り装置１０ａ，１０ｂ，・・・と場所貸し管理装置２２０とは、ネットワーク４０で接続されている。場所貸し管理装置２２０と場所借り利用装置３０とは、ネットワーク２７０で接続されている。場所貸し管理装置２２０は、図１３に示すように、プロトコル変換部２２７と送受信部２２８とをさらに備える。プロトコル変換部２２７は、ネットワーク４０経由で受信した情報を送受信部２１から受け取り、ネットワーク２７０経由で受信した情報を送受信部２２８から受け取る。プロトコル変換部２２７は、ネットワーク４０のプロトコルとネットワーク２７０のプロトコルとを互いに変換する。プロトコル変換部２２７は、ネットワーク４０経由で送信する情報を送受信部２１へ渡し、ネットワーク２７０経由で送信する情報を送受信部２２８へ渡す。これらの点で第１実施形態と異なる。
【００７２】
図１２に示す空調機６０ａ，６０ｂ，・・・の設置場所を貸して利用させる方法であり空調機６０ａ，６０ｂ，・・・の設置場所に適した方法である場所利用方法２５２ｂ，２５３ｂ（図６参照）に関する情報である場所利用情報２５ｂを作成する点は第１実施形態と同様である。したがって、このような場所貸し管理システム２００によっても、空調機６０ａ，６０ｂ，・・・の場所貸しが適格に管理される。
【産業上の利用可能性】
【００７３】
本発明にかかる場所貸し管理装置、場所貸し管理システム及び場所貸し管理プログラムは、機器の場所貸しを適格に管理することができるという効果を有し、場所貸し管理装置、場所貸し管理システム及び場所貸し管理プログラム等として有用である。
【図面の簡単な説明】
【００７４】
【図１】本発明の第１実施形態による場所貸し管理システムの概念図。
【図２】本発明の第１実施形態による場所貸し管理装置の構成図。
【図３】本発明の第１実施形態による場所借り利用装置の構成図。
【図４】場所貸し管理システムが場所貸しを管理する処理の流れを示すフローチャート。
【図５】登録情報の構成を示す概念図。
【図６】場所利用情報の構成を示す概念図。
【図７】種類情報の構成を示す概念図。
【図８】利用状況情報の構成を示す概念図。
【図９】本発明の第２実施形態による場所貸し管理システムの概念図。
【図１０】本発明の第２実施形態による場所貸し管理装置の構成図。
【図１１】場所利用情報の構成を示す概念図。
【図１２】本発明の第３実施形態による場所貸し管理システムの概念図。
【図１３】本発明の第３実施形態による場所貸し管理装置の構成図。
【符号の説明】
【００７５】
１，１００，２００  場所貸し管理システム
１０，１１０  場所借り装置群
２０，１２０，２２０  場所貸し管理装置
３０  場所借り利用装置
４０，２７０  ネットワーク
５０  端末装置群
６０  空調機群
【図１】
2005293400.tif 000003
【図２】
2005293400.tif 000004
【図３】
2005293400.tif 000005
【図４】
2005293400.tif 000006
【図５】
2005293400.tif 000007
【図６】
2005293400.tif 000008
【図７】
2005293400.tif 000009
【図８】
2005293400.tif 000010
【図９】
2005293400.tif 000011
【図１０】
2005293400.tif 000012
【図１１】
2005293400.tif 000013
【図１２】
2005293400.tif 000014
【図１３】
2005293400.tif 000015